(57)【要約】      （修正有）【課題】卓上でも床置きでも使用することができ、かつ、収納や移動に便利な簡易スコアボードを提供する。【解決手段】上端部に固定部が形成された支柱と、固定部によって固定される得点板吊り下げ部材と、得点板吊り下げ部材に、支柱の両側に同枚数配置されて吊り下げられたセット取得カードと、支柱に固定される支承板とを備える。支柱は、下端部に埋め込まれたナットを備え、支承板は、ナットに係合するネジが形成されたボルトを備えて、支柱に取り付け可能とされ、支承板が支柱から取り外されたときに、ナットに係合するカメラ固定ボルトを備えて、支柱に取り付けられるカメラ用三脚スタンドを有する。【選択図】図３
0003163223.tif 000002
【実用新案登録請求の範囲】
【請求項１】
卓上用スコアボードにカメラ用三脚スタンドを取り付け、床置き用としても使用できることを特長とした簡易スコアボード。
【請求項２】
卓上用スコアボードは間単に分解でき、収納時にコンパクトになることを特長とした前記請求項１記載の簡易スコアボード。  
【考案の詳細な説明】
【技術分野】
【０００１】
本考案は、卓上形のスコアボードに専用のスタンドを用いることなく、世間一般に普及しているカメラ用の三脚スタンドを流用することにより簡単、かつ安価に床置き形として使用することができる球技用簡易スコアボードに関するものである。
【背景技術】
【０００２】
バドミントン、卓球、バレーボールなどに使用されるスコアボードは多種多様のものが市販されているが、特に床置き形のものは専用スタンド型となっているため高価なものになっており、少人数サークルの会費では購入できる価格帯ではない。
【先行技術文献】
【特許文献】
【０００３】
【特許文献１】実用新案登録第３０９８３９１号 公報
【特許文献２】実用新案登録第３１４０２５５号 公報
【非特許文献】
【０００４】
【非特許文献１】メーカー：タチカラ  品名：携帯用得点板ＨＳ通販品番：Ｓ―１１６５
【考案の概要】
【考案が解決しようとする課題】
【０００５】
既存の床置き形スコアボードでは、ボード本来の目的である得点板部分に比較してスタンド部分の原価比率がかなり高くなっているため高価なものになっており、かつ形が大きいため収納時や携帯時などの取扱上に難点がある。
本考案はこれらの問題点を解決しようとするものである。
【課題を解決するための手段】
【０００６】
本考案は、各家庭にも広く普及しているカメラ用三脚スタンドが、その形状から床置き形スコアボードのスタンドにも利用できると考え、またこの三脚のカメラ固定用ネジは古くから１/４インチのオネジとして固定化していることから、これに対応するメネジを卓上用スコアボードにセットしておけば、どのメーカーのどんな種類のカメラ用三脚スタンドでも床置き用に使用可能となることに着目した。
従って本考案によると、安価な卓上形スコアボードの費用だけで使用者が手持ちのカメラ用三脚スタンドに取り付ければ、間単に床置き形スコアボードとして使用できるようになる。
また、カメラ用三脚スタンドは伸縮式のため収納、携帯時などの取扱性もよい。
尚、本考案では、更に小型化を図るべく卓上形部分も分解可能の方式とした。
【考案の効果】
【０００７】
上述のように、本考案の簡易スコアボードは安価な卓上形スコアボードだけで卓上形、床置き形に両用でき、かつ、床置き形とする場合のカメラ用三脚スタンドは種類を限定することなく、どれでも使用することができるという大きな特長がある。
また、カメラ用三脚スタンドの本来持っている機能の伸縮可能性と、卓上形部分の分解可能方式との併用で従来品と比較し、大幅な小型化も実現した。
【図面の簡単な説明】
【０００８】
【図１】本考案の卓上形スコアボードの正面図である。
【図２】本卓上形スコアボードの側面図で、取り付けまたは分解様態図である。
【図３】本考案の床置き形スコアボードの正面図である。
【図４】本床置き形スコアボードの側面図で、取り付けまたは分解様態図である。
【考案を実施するための形態】
【０００９】
卓上形スコアボードは大別して得点板吊り下げ部と、これを保持する支柱、全体を支承する支承板の３部品から構成し、各々をネジで固定して形成する。
これを床置き形として使用するときは、卓上形の支承板を取り外し、カメラ用三脚スタンドのカメラ固定ボルトに支柱下部のナットを合わせ、スタンドのローレットネジを回して固定する。
【実施例】
【００１０】
以下、添付図面に従って一実施例を説明する。１は卓上形スコアボードの全体図で、得点板吊り下げ部材２は、両端にナット（図示せず）が埋め込んである支柱３上部にツマミボルト６により固定され、支柱３の下端はボルト５が埋め込まれた支承板４に固定されている。  
得点板吊り下げ部材２には、丸形保持材９に保持された得点カード７とセット取得カード８が支柱３の両側に同枚数配置されている。
【００１１】
ここで、支承板４に埋め込まれたボルト５はカメラ用三脚スタンドのカメラ固定ボルト（１/４インチ）と同サイズとし、また、支柱３の埋め込みナットも両端同じサイズとして、両側どちらでも組み込めるようにした。
従って、ツマミボルト６も同じ１/４インチとなっている。
【００１２】
床置き形として使用するときは、卓上形スコアボード１の支柱３部分を握って反時計方向に回して支承板４を取り外し、カメラ用三脚スタンド１０のカメラ固定ボルト１１に支柱３の下部ナットを合わせ、ボルトと一体となっているローレット部１２を回して卓上形スコアボード１を固定する。  
【００１３】
以上のような構成となっているため、収納時や移動時には、まず図４に示す如くカメラ用三脚スタンドのローレット部１２を反時計方向に回して三脚１０から卓上形スコアボード１を分離し、また、図２に示す如く卓上部のツマミボルト６を反時計方向に回して得点板吊り下げ部材２を取り外せば、卓上形スコアボード１は得点板吊り下げ部２、支柱３、支承板４の３部品に分解され、更に、カメラ用三脚スタンド１０を収縮すれば装置全体をコンパクトな形にすることができる。
【符号の説明】
【００１４】
１  卓上形スコアボード全体図
２  得点板吊り下げ部材
３  支柱
４  支承板     
５  埋め込みボルト
６  ツマミボルト
７  得点カード
８  セット取得カード
９  丸形保持材
１０  カメラ用三脚スタンド
１１  カメラ固定ボルト
１２  ローレット部
【図１】
0003163223.tif 000003
【図２】
0003163223.tif 000004
【図３】
0003163223.tif 000005
【図４】
0003163223.tif 000006
【手続補正書】
【提出日】平成22年8月9日(2010.8.9)
【手続補正１】
【補正対象書類名】実用新案登録請求の範囲
【補正対象項目名】全文
【補正方法】変更
【補正の内容】
【実用新案登録請求の範囲】
【請求項１】
上端部に固定部が形成された支柱と、前記固定部によって固定される得点板吊り下げ部材と、該得点板吊り下げ部材に、前記支柱の両側に同枚数配置されて吊り下げられたセット取得カードと、前記支柱に固定される支承板とを備えた簡易スコアボードにおいて、前記支柱は、下端部に埋め込まれたナットを備え、前記支承板は、該ナットに係合するネジが形成されたボルトを備えて、前記支柱に取り付け可能とされ、前記支承板が前記支柱から取り外されたときに、前記ナットに係合するカメラ固定ボルトを備えて、前記支柱に取り付けられるカメラ用三脚スタンドを有することを特徴とする簡易スコアボード。
【請求項２】
請求項１記載の簡易スコアボードにおいて、前記得点板吊り下げ部材は、前記固定部の固定が外されることで、前記支柱から取り外されることを特徴とする簡易スコアボード。